(57)【要約】【課題】  使用する際に第２のバンドの先端部側を遊環で確実に保持できるバンドの連結構造を提供する。【解決手段】  第１バンド１の先端部１ａに取り付けられた尾錠３によって第１バンド１と第２のバンド２とを連結し、且つ第１バンド１に外装された遊環４で第２バンド２の先端部２ａ側を保持する場合、遊環４の上面側を２つに分割して第１、第２バンド１、２が重なって挿入する高さの高い部分１０と第１バンド１のみが挿入する高さの低い部分１１とに形成した。従って、遊環４の高さの高い部分１０に第２バンド２の先端部２ａ側を第１バンド１と重ね合わせて挿入すると、この高さの高い部分１０の近傍に位置する個所の第２バンド２が遊環４の高さの低い部分１１の弾性反発力で押し上げられる。これにより、遊環４からの第２バンド２の抜け出しを防ぐと共に、第１バンド１に対する遊環４の移動をも抑えることができる。【選択図】        図１
2009060993.tif 000002
【特許請求の範囲】
【請求項１】
第１のバンドと第２のバンドとを有し、前記第１のバンドの先端部に取り付けられた尾錠によって、前記第１のバンドと前記第２のバンドとを連結すると共に、前記第１のバンドに外装されて前記第２のバンドの先端部側が挿入する遊環によって、前記尾錠を挿通した前記第２のバンドの先端部側を保持するバンドの連結構造において、
前記遊環の表面側を２つに分割して、前記第１のバンドと前記第２のバンドとが重なり合って挿入する高さの高い部分と、前記第１のバンドのみが挿入する高さの低い部分とに形成したことを特徴とするバンドの連結構造。
【請求項２】
前記遊環の高さの高い部分における前記表面側の内面には、前記遊環の高さの低い部分から離れるに従って徐々に高さの低くなる内側傾斜部が形成されており、前記遊環の高さの低い部分における前記表面側の外面には、前記遊環の高さの高い部分に近づくに従って徐々に高さの低くなる外側傾斜部が形成されていることを特徴とする請求項１に記載のバンドの連結構造。
【請求項３】
前記第２のバンドの前記先端部側における表面と裏面とのうち、少なくとも一方には、前記第２のバンドの前記先端部側が通り抜けた側に位置する前記遊環の端面に当接する当接突起部が設けられていることを特徴とする請求項１または２に記載のバンドの連結構造。
【請求項４】
前記遊環における前記高さの低い部分の前記表面側の外面には、前記第２のバンドにおける前記先端部側の裏面を係止する係止突起部が設けられていることを特徴とする請求項１に記載のバンドの連結構造。
【請求項５】
前記尾錠は、前記第２のバンドの前記先端部側が挿入する尾錠本体と、前記第２のバンドの前記先端部側を前記尾錠本体に対し係止するためのつく棒とを備えており、前記第２のバンドの前記先端部側には、前記つく棒が挿入する複数のつく棒孔が一定間隔で設けられており、前記遊環の前記係止突起部は、前記複数のつく棒孔のいずれかに係脱可能に挿入することを特徴とする請求項４に記載のバンドの連結構造。
【発明の詳細な説明】
【技術分野】
【０００１】
この発明は、腕時計や鞄、衣服などに用いられるバンドの連結構造に関する。
【背景技術】
【０００２】
例えば、腕時計に用いられている時計バンドにおいては、特許文献１に記載されているように、第１のバンドの先端部に取り付けられた尾錠に第２のバンドを挿入して、第１のバンドと第２のバンドとを尾錠によって連結すると共に、第１のバンドに外装された遊環に、尾錠を挿通した第２のバンドの先端部側を挿入させることにより、第２のバンドの先端部側を遊環で保持するように構成したものがある。
【特許文献１】実開平０６−２８００８号
【発明の開示】
【発明が解決しようとする課題】
【０００３】
このような従来のバンドの連結構造では、腕に取り付けて使用する際に、第２のバンドの先端部側が遊環から外れてしまうと、この外れた第２のバンドの先端部側がふらついて邪魔になるため、第２のバンドの先端部側に引っ掛け部を設け、この引っ掛け部を遊環に挿入させて通過させ、この通過した引っ掛け部を遊環の端面に当接させることにより、引っ掛け部が遊環から外れにくくしている。
【０００４】
しかしながら、このようなバンドの連結構造においては、引っ掛け部が遊環に挿入して通過する構造であるから、腕に取り付けて使用する際、引っ掛け部に外力が加わると、引っ掛け部が遊環の端面から簡単に外れてしまい、第２のバンドの先端部側が遊環から抜け出し易いという問題がある。
【０００５】
この発明が解決しようとする課題は、使用する際に第２のバンドの先端部側を遊環で確実に保持することができるバンドの連結構造を提供することである。
【課題を解決するための手段】
【０００６】
この発明は、上記課題を解決するために、次のような構成要素を備えている。
請求項１に記載の発明は、第１のバンドと第２のバンドとを有し、前記第１のバンドの先端部に取り付けられた尾錠によって、前記第１のバンドと前記第２のバンドとを連結すると共に、前記第１のバンドに外装されて前記第２のバンドの先端部側が挿入する遊環によって、前記尾錠を挿通した前記第２のバンドの先端部側を保持するバンドの連結構造において、
前記遊環の表面側を２つに分割して、前記第１のバンドと前記第２のバンドとが重なり合って挿入する高さの高い部分と、前記第１のバンドのみが挿入する高さの低い部分とに形成したことを特徴とするバンドの連結構造である。
【０００７】
請求項２に記載の発明は、前記遊環の高さの高い部分における前記表面側の内面に、前記遊環の高さの低い部分から離れるに従って徐々に高さの低くなる内側傾斜部が形成されており、前記遊環の高さの低い部分における前記表面側の外面には、前記遊環の高さの高い部分に近づくに従って徐々に高さの低くなる外側傾斜部が形成されていることを特徴とする請求項１に記載のバンドの連結構造である。
【０００８】
請求項３に記載の発明は、前記第２のバンドの前記先端部側における表面と裏面とのうち、少なくとも一方に、前記第２のバンドの前記先端部側が通り抜けた側に位置する前記遊環の端面に当接する当接突起部が設けられていることを特徴とする請求項１または２に記載のバンドの連結構造である。
【０００９】
請求項４に記載の発明は、前記遊環における前記高さの低い部分の前記表面側の外面に、前記第２のバンドにおける前記先端部側の裏面を係止する係止突起部が設けられていることを特徴とする請求項１に記載のバンドの連結構造である。
【００１０】
請求項５に記載の発明は、前記尾錠が、前記第２のバンドの前記先端部側を挿入させる尾錠本体と、前記第２のバンドの前記先端部側を前記尾錠本体に対し係止するためのつく棒とを備えており、前記第２のバンドの前記先端部側には、前記つく棒が挿入する複数のつく棒孔が一定間隔で設けられており、前記遊環の前記係止突起部は、前記複数のつく棒孔のいずれかに係脱可能に挿入することを特徴とする請求項４に記載のバンドの連結構造である。
【発明の効果】
【００１１】
この発明によれば、第１のバンドに外装された遊環に、尾錠を挿通した第２のバンドの先端部側を挿入させる際に、遊環の高さの高い部分に第２のバンドの先端部側を第１のバンドと重なり合わせて挿入すると、この高さの高い部分の近傍に位置する個所の第２のバンドが遊環の高さの低い部分を押し下げて弾性変形させると共に、この弾性変形した高さの低い部分の弾性反発力によって第２のバンドが押し上げられる。このため、第２のバンドの先端部側が遊環の高さの高い部分から抜け出しにくくすることができると共に、第１のバンドに対する遊環の移動をも抑えることができるので、使用する際に第２のバンドの先端部側を遊環によって確実に保持することができる。
【発明を実施するための最良の形態】
【００１２】
（実施形態１）
以下、図１〜図４を参照して、この発明を時計バンドに適用した実施形態１について説明する。
この時計バンドは、図１に示すように、第１バンド１と第２バンド２とを備え、第１バンド１の先端部１ａに取り付けられた尾錠３によって、第１バンド１と第２バンド２とを連結すると共に、第１バンド１に外装された遊環４によって、尾錠３を挿通した第２バンド２の先端部２ａ側を保持するように構成されている。
【００１３】
この場合、第１バンド１は、腕時計ケース（図示せず）の一側部、例えば１２時側の側部に取り付けられており、第２バンド２は、腕時計ケースの他側部、例えば６時側の側部に取り付けられている。尾錠３は、図１および図２に示すように、第２バンド２の先端部２ａが挿入するほぼコ字形状の尾錠本体５と、第２バンド２の先端部２ａ側を尾錠本体５に対し係止するためのつく棒６と、この尾錠本体５とつく棒６とを第１バンド１の先端部１ａに取り付けるための取付ピン７とを備えている。
【００１４】
すなわち、この尾錠３は、図１および図２に示すように、腕時計ケースと反対側に位置する第１バンド１の先端部１ａにおける両側に尾錠本体５の両端部を配置し、第１バンド１の先端部１ａの中間部につく棒６の一端部を配置し、この状態で第１バンドの先端部に取付ピン７を取り付けることにより、この取付ピン７によって尾錠本体５とつ棒６とが第１バンド１の先端部１ａに取り付けられるように構成されている。
【００１５】
また、第２バンド２の先端部２ａ側には、図１に示すように、尾錠３のつく棒６が挿入する複数のつく棒孔８が一定間隔で設けられている。これにより、尾錠３は、図１に示すように、第２バンド２の先端部２ａを、第１バンド１の先端部１ａに取り付けられた尾錠３の尾錠本体５に挿入させて、つく棒６を第２バンド２に設けられた複数のつく棒孔８のいずれかに挿入することにより、第１バンド１と第２バンド２とを連結するように構成されている。
【００１６】
一方、遊環４は、ウレタン樹脂などの合成樹脂からなり、図２に示すように、その内部に第１バンド１が挿入することにより、第１バンド１に移動可能な状態で外装されている。すなわち、この遊環４は、図３および図４に示すように、弾性変形可能なほぼ平らな角筒形状に形成され、その上面側が切込み溝９によって２つに分割され、この分割された両側が異なる高さで形成されている。この場合、図２〜図４に示すように、切込み溝９は、遊環４の上面における左右の中間部から、その前後における両側面の高さ方向の中間部に亘って形成されている。
【００１７】
また、この切込み溝９によって分割された両側部分１０、１１のうち、図４における左側に位置する部分１０、つまり図２において尾錠３と反対側に位置する部分１０は、その高さが高く形成されている。また、右側に位置する部分１１、つまり図２において尾錠３に接近する側に位置する部分１１は、その高さが低く形成されている。これにより、遊環４における高さの高い部分１０は、図１および図４に示すように、その内部に第１バンド１と第２バンド２とが重なり合って挿入する程度の高さＴ１に形成されている。また、高さの低い部分１１は、その内部に第１バンド１のみが挿入する程度の高さＴ２（Ｔ１＞Ｔ２）に形成されている。
【００１８】
このような時計バンドを腕に取り付けて使用する場合には、図１および図２に示すように、第１バンド１の先端部１ａに取り付けられた尾錠３の尾錠本体５に第２バンド２の先端部２ａを挿入させて、第２バンド２に設けられた複数のつく棒孔８のいずれかに尾錠３のつく棒６を挿入させ、このつく棒６によって第２バンド２を尾錠本体５に対し係止させることにより、この尾錠３によって第１バンド１と第２バンド２とを連結する。
【００１９】
この状態で、図１および図２に示すように、第２バンド２の先端部２ａ側を、遊環４の高さの低い部分１１における上面の上側に位置させて、高さの高い部分１０内に第１バンド１と重ね合わせて挿入する。このときには、遊環４における高さの高い部分１０の近傍に位置する個所の第２バンド２の先端部２ａ側が、遊環４の高さの低い部分１１を押し下げて弾性変形させると共に、この弾性変形した高さの低い部分１１の弾性反発力によって第２バンド２を弾力的に押し上げる。これにより、第２バンド２の先端部２ａ側が高さの高い部分１０内に第１バンド１と重なり合って保持される。
【００２０】
このように、この時計バンドによれば、第１バンド１の先端部１ａに取り付けられた尾錠３によって第１バンド１と第２のバンド２とを連結すると共に、第１バンド１に外装された遊環４で第２バンド２の先端部２ａ側を保持する際、遊環４の上面側が２つに分割されて高さの高い部分１０と高さの低い部分１１とに形成されているので、遊環４の高さの高い部分１０に第２バンド２の先端部２ａ側を第１バンド１と重ね合わせて挿入することにより、第２バンド２の先端部２ａ側を遊環４によって確実に保持することができる。
【００２１】
すなわち、遊環４の高さの高い部分１０に第２バンド２の先端部２ａ側を第１バンド１と重ね合わせて挿入すると、この高さの高い部分１０の近傍に位置する箇所の第２バンド２が遊環４の高さの低い部分１１を押し下げて弾性変形させると共に、この弾性変形した高さの低い部分１１がその弾性反発力によって第２バンド２を弾力的に押し上げる。このため、第２バンド２の先端部２ａ側を遊環４の高さの高い部分１０から抜け出しにくくすることができると共に、第１バンド１に対する遊環４の移動をも抑えることができる。これにより、腕に取り付けて使用する際、第２バンド２の先端部２ａ側を遊環４によって確実に保持することができる。
【００２２】
（実施形態２）
次に、図５を参照して、この発明を時計バンドに適用した実施形態２について説明する。なお、図１〜図４に示された実施形態１と同一部分には同一符号を付して説明する。
この時計バンドは、遊環４の高さの高い部分１０における上面側に位置する内面に内側傾斜部１５を設け、遊環４における高さの低い部分１１の上面に外側傾斜部１６を設けた構成であり、これ以外は実施形態１と同じ構成になっている。
【００２３】
すなわち、遊環４の高さの高い部分１０における上面側の内面には、図５に示すように、内側傾斜部１５が、第２バンド２の挿入方向に沿って左下がり、つまり遊環４の高さの低い部分１１から離れるに従って徐々に高さが低くなるように形成されている。また、遊環４の高さの低い部分１１における上面には、図５に示すように、外側傾斜部１６が、遊環４の高さの高い部分１０に対する第２バンド２の挿入方向に沿って左下がり、つまり遊環４の高さの高い部分１０に近づくに従って徐々に高さが低くなるように形成されている。この場合、遊環４における高さの高い部分１０の内側傾斜部１５と、高さの低い部分１１における外側傾斜部１６とは、ほぼ平行に形成されている。
【００２４】
また、遊環４の高さの高い部分１０における内側傾斜部１５の右端部１５ａと、高さの低い部分１１における外側傾斜部１６の左端部１６ａとは、図５に示すように、その上下方向の間隔が第２バンド２の厚みとほぼ同じ間隔で形成されている。また、遊環４の高さの高い部分１０における内側傾斜部１５の左端部１５ｂの高さ、つまり内側傾斜部１５の最も低い部分の高さは、図５に示すように、第１バンド１と第２バンド２とを重ね合わせた厚みとほぼ同じか、それよりも少し高く形成されている。
【００２５】
このような時計バンドによれば、実施形態１と同様の作用効果があるほか、遊環４の高さの高い部分１０における上面側の内面に、内側傾斜部１５が遊環４の高さの低い部分１１から離れるに従って徐々に高さが低くなるように形成されているので、遊環４の高さの高い部分１０内に第２バンド２の先端部２ａ側を第１バンド１と重ね合わせて挿入する際、高さの高い部分１０の内側傾斜部１５が第２バンド２の先端部２ａ側を第１バンド１に向けて斜めにガイドすることができ、これにより第２バンド２の先端部２ａ側を第１バンド１に押し付けて重ね合わせることができる。
【００２６】
また、この時計バンドによれば、遊環４の高さの低い部分１１における上面に、外側傾斜部１６が遊環４の高さの高い部分１０に近づくに従って徐々に高さが低くなるように内側傾斜部１５とほぼ平行に形成されているので、遊環４の高さの高い部分１０内に第２バンド２の先端部２ａ側を第１バンド１と重ね合わせて挿入する際、高さの低い部分１１の外側傾斜部１６が第２バンド２の先端部２ａ側を遊環４の高さの高い部分１０内に向けて斜めにガイドすることができ、これにより第２バンド２の先端部２ａを高さの高い部分１０内に円滑に且つ良好にガイドして挿入させることができる。
【００２７】
（実施形態３）
次に、図６を参照して、この発明を時計バンドに適用した実施形態３について説明する。この場合にも、図１〜図４に示された実施形態１と同一部分に同一符号を付して説明する。
この時計バンドは、第２バンド２の先端部２ａの上面および下面にそれぞれ当接突起部２０、２１を設け、この当接突起部２０、２１を遊環４の端面４ａ、４ｂにそれぞれ当接させるように構成したものであり、これ以外は実施形態１と同じ構成になっている。
【００２８】
すなわち、第２バンド２の先端部２ａの上面には、図６に示すように、遊環４の高さの高い部分１０における左側の端面４ａ、つまり第２バンド２の先端部２ａ側が通り抜けた側に位置する高さの高い部分１０の左端面４ａに当接する当接突起部２０が上方に突出して設けられている。また、第２バンド２の先端部２ａの下面には、図６に示すように、遊環４の高さの低い部分１１における左側の端面４ｂ、つまり第２バンド２の先端部２ａ側が通り抜けた側に位置する遊環４の高さの低い部分１１の左端面４ｂで、且つ高さの高い部分１０に隣接する高さの低い部分１１の左端面４ｂに当接する当接突起部２１が下方に突出して設けられている。
【００２９】
このような時計バンドにおいても、実施形態１と同様の作用効果があるほか、第２バンド２の先端部２ａの上面および下面に、それぞれ第２バンド２が通り抜けた側に位置する遊環４の高さの高い部分１０とこれに隣接する高さの低い部分１１との各端面４ａ、４ｂに当接する当接突起部２０、２１を設けたので、各当接突起部２０、２１を遊環４の高い部分１０とこれに隣接する低い部分１１との各端面４ａ、４ｂにそれぞれ当接させることができる。このため、腕に取り付けて使用する際に、実施形態１よりも更に、第２バンド２の先端部２ａ側を遊環４から抜け出しにくくすることができ、これにより、より一層、第２バンド２の先端部２ａ側を遊環４で確実に保持することができる。
【００３０】
なお、上記実施形態３では、第２バンド２の先端部２ａの上面および下面に、第２バンド２が通り抜けた側に位置する遊環４の高い部分１０とこれに隣接する低い部分１１との各端面４ａ、４ｂにそれぞれ当接する当接突起部２０、２１を設けた場合について述べたが、これに限らず、例えば第２バンド２の先端部２ａにおける上面のみに当接突起部２０を設けた構成でも良く、また第２バンド２の先端部２ａにおける下面のみに当接突起部２１を設けた構成でも良い。
【００３１】
また、上記実施形態３においても、図５に示した実施形態２と同様、遊環４の高さの高い部分１０における上面側の内面に内側傾斜部１５を設け、遊環４における高さの低い部分１１の上面に外側傾斜部１６を設けた構成であっても良い。このように構成すれば、実施形態３と同様、第２バンド２の先端部２ａ側を遊環４の高さの高い部分１０内に円滑に挿入させることができると共に、実施形態３よりも、更に第２バンド２の先端部２ａ側を遊環４によって確実に保持することができる。
【００３２】
（実施形態４）
次に、図７〜図１０を参照して、この発明を時計バンドに適用した実施形態４について説明する。この場合にも、図１〜図４に示された実施形態１と同一部分に同一符号を付して説明する。
この時計バンドは、遊環４における高さの低い部分１１の上面に係止突起部２５を上方に突出させて設けた構成であり、これ以外は実施形態１と同じ構成になっている。
【００３３】
すなわち、この係止突起部２５は、図７〜図１０に示すように、第２バンド２の先端部２ａ側に一定間隔で設けられた複数のつく棒孔８に挿入する大きさに形成され、遊環４の高さの高い部分１０に第２バンド２の先端部２ａ側を第１バンド１と重ね合わせて挿入した際に、第２バンド２のつく棒孔８のいずれかに挿入することにより、第２バンド２の先端部２ａ側を遊環４に対し係止するように構成されている。
【００３４】
このような時計バンドによれば、実施形態１と同様の作用効果があるほか、遊環４における高さの低い部分１１の上面に係止突起部２５を上方に突出させて設けたので、遊環４の高さの高い部分１０に第２バンド２の先端部２ａ側を第１バンド１と重ね合わせて挿入した際に、第２バンド２で押し下げられて弾性変形した遊環４における高さの低い部分１１の弾性反発力によって係止突起部２５を第２バンド２のつく棒孔８のいずれかに挿入させることができる。
【００３５】
このため、係止突起部２５によって第２バンド２の先端部２ａ側を遊環４に対し固定することができるので、第２バンド２に対する遊環４の移動を確実に防ぐことができると共に、第１バンド１に対する遊環４の移動をも抑えることができる。これにより、腕に取り付けて使用する際に、第２バンド２の先端部２ａ側が遊環４の高さの高い部分１０から勝手に抜け出すことがなく、第２バンド２の先端部２ａ側を遊環４によって確実に且つ強固に保持することができる。
【００３６】
なお、上記実施形態１〜４およびその各変形例では、尾錠３が、第２バンド２を挿入する尾錠本体５と、第２バンド２の先端部２ａ側のつく棒孔８に挿入して係止するつく棒６と、これらを第１バンド１の先端部１ａに取り付ける取付ピン７とを備えた構成である場合について述べたが、必ずしもつく棒６を備えた尾錠３である必要はなく、つく棒６を用いないバックルなどの尾錠を用いた時計バンドにも適用することができる。
【００３７】
また、上記実施形態１〜４およびその各変形例では、腕時計ケースの一側部に第１バンド１を取り付け、腕時計ケースの他側部に第２バンド２を取り付けた場合について述べたが、これに限らず、例えば腕時計ケースの一側部から他側部に連続する１本のバンドであっても良い。この場合には、腕時計ケースの一側部から側方に延びた部分が第１のバンドとなり、腕時計ケースの他側部から側方に延びた部分が第２のバンドとなる。
【００３８】
さらに、上記実施形態１〜４およびその各変形例では、時計バンドに適用した場合について述べたが、必ずしも時計バンドである必要はなく、鞄や衣服などのバンドにも広く適用することができる。
【図面の簡単な説明】
【００３９】
【図１】この発明を適用した時計バンドの実施形態１を示した要部の斜視図である。
【図２】図１の第１バンドを示した斜視図である。
【図３】図１の遊環を示した拡大斜視図である。
【図４】図３における遊環の拡大側面図である。
【図５】この発明を適用した時計バンドの実施形態２を示した要部の拡大断面図である。
【図６】この発明を適用した時計バンドの実施形態３を示した要部の拡大断面図である。
【図７】この発明を適用した時計バンドの実施形態４を示した要部の斜視図である。
【図８】図７の第１バンドを示した斜視図である。
【図９】図７の遊環を示した拡大斜視図である。
【図１０】図９における遊環の拡大側面図である。
【符号の説明】
【００４０】
１  第１バンド
２  第２バンド
３  尾錠
４  遊環
４ａ、４ｂ  遊環の端面
５  尾錠本体
６  つく棒
７  取付ピン
８  つく棒孔
９  切込み溝
１０  遊環の高さの高い部分
１１  遊環の高さの低い部分
１５  内側傾斜部
１６  外側傾斜部
２０、２１  当接突起部
２５  係止突起部
【図１】
2009060993.tif 000003
【図２】
2009060993.tif 000004
【図３】
2009060993.tif 000005
【図４】
2009060993.tif 000006
【図５】
2009060993.tif 000007
【図６】
2009060993.tif 000008
【図７】
2009060993.tif 000009
【図８】
2009060993.tif 000010
【図９】
2009060993.tif 000011
【図１０】
2009060993.tif 000012